(57)【特許請求の範囲】
【請求項１】
凸状部が形成された背面を有し、番組映像を出力するＬＣＤ表示装置、
筒状のケースを有し、番組音声を出力するスピーカ装置、および
前記スピーカ装置を前記ＬＣＤ表示装置に取り付けるための取り付け部材を備え、
前記取り付け部材は、前記凸状部に対応する部分と凸状部以外の背面に対応する部分を有して前記ＬＣＤ表示装置の前記背面に沿う板状の取り付け部材であり、
前記取り付け部材は、前記凸状部以外の背面に対応する部分の第１主面側において、前記ケースの長さ方向が前記ＬＣＤ表示装置の高さ方向に沿うように前記スピーカ装置を取り付け、前記第１主面とは反対の第２主面側で前記ＬＣＤ表示装置の前記背面に取り付けられる、テレビジョンセット。
【請求項２】
前記スピーカ装置の側面と前記取り付け部材との間に挿入される緩衝材をさらに備える、請求項１記載のテレビジョンセット。
【請求項３】
前記スピーカ装置を前記取り付け部材に取り外し可能に取り付けるための第１取り付け手段、および
前記取り付け部材を前記ＬＣＤ表示装置に取り外し可能に取り付けるための第２取り付け手段をさらに備える、請求項１または２記載のテレビジョンセット。
【請求項４】
前記第１取り付け手段は前記スピーカ装置の側面および前記取り付け部材にそれぞれ設けられる第１ねじ孔とそれに螺合される第１ねじとを含み、
前記第２取り付け手段は前記ＬＣＤ表示装置の側面および前記取り付け部材にそれぞれ設けられる第２ねじ孔とそれに螺合される第２ねじとを含む、請求項３記載のテレビジョンセット。
【請求項５】
前記第１ねじは前記取り付け部材の前記第２主面側から螺入され、
前記第２ねじは前記取り付け部材の前記第１主面側から螺入される、請求項４記載のテレビジョンセット。
【請求項６】
前記第１ねじ孔は所定距離を隔てた２つのねじ孔を有し、
前記所定距離を隔てた２つのねじ孔を有するように第３ねじ孔が形成され、前記ＬＣＤ表示装置から取り外された前記スピーカ装置を第３ねじによって取り付ける支柱をさらに備える、請求項４または５記載のテレビジョンセット。
【発明の詳細な説明】
【技術分野】
【０００１】
この発明は、テレビジョンセットに関し、特にたとえば番組音声を出力するスピーカ装置と番組映像を出力する表示装置とを備える、テレビジョンセットに関する。
【背景技術】
【０００２】
従来のこの種のセットの一例が、特許文献１に開示されている。この従来技術によれば、テレビジョン受像機の側面にフックが設けられる一方、スピーカ装置の裏面に孔が設けられる。スピーカ装置は、フックを孔に挿入することで、テレビジョン受像機の側面に固定される。
【特許文献１】特開平６−１０５２５７号公報［H04N 5/64, H04R 1/26］
【発明の開示】
【発明が解決しようとする課題】
【０００３】
しかし、従来技術では、スピーカ装置がテレビジョン受像機の側面に配置されるため、幅方向の寸法が嵩張るという問題がある。
【０００４】
それゆえに、この発明の主たる目的は、スピーカ装置の取り付けに起因する寸法の増大を抑制することができる、テレビジョンセットを提供することである。
【課題を解決するための手段】
【０００５】
請求項１の発明に従うテレビジョンセットは、凸状部が形成された背面を有し、番組映像を出力するＬＣＤ表示装置(10)、筒状のケースを有し、番組音声を出力するスピーカ装置(30a, 30b)、およびスピーカ装置をＬＣＤ表示装置に取り付けるための取り付け部材(40a, 40b)を備え、取り付け部材は、凸状部に対応する部分と凸状部以外の背面に対応する部分を有してＬＣＤ表示装置の背面に沿う板状の取り付け部材であり、取り付け部材は、凸状部以外の背面に対応する部分の第１主面側において、ケースの長さ方向がＬＣＤ表示装置の高さ方向に沿うようにスピーカ装置を取り付け、第１主面とは反対の第２主面側でＬＣＤ表示装置の背面に取り付けられる。
【０００６】
番組映像は、表示装置から出力される。番組音声は、スピーカ装置から出力される。スピーカ装置は、取り付け部材によって表示装置に取り付けられる。ここで、表示装置は、凸状部が形成された背面を有する。また、取り付け部材は、第１主面側にスピーカ装置を取り付ける。取り付け部材はまた、第１主面とは反対の第２主面側で表示装置に取り付けられる。したがって、スピーカ装置は、表示装置の背面に形成された凸状部の側面に取り付けられる。この結果、スピーカ装置の取り付けに起因する寸法の増大が抑制される。
【０００８】
請求項２の発明に従うテレビジョンセットは、請求項１に従属し、スピーカ装置の側面と取り付け部材との間に挿入される緩衝材(34a, 34b)をさらに備える。これによって、スピーカ装置の振動に起因する異音の発生が回避される。
【０００９】
請求項３の発明に従うテレビジョンセットは、請求項１または２に従属し、スピーカ装置を取り付け部材に取り外し可能に取り付けるための第１取り付け手段(H3a, H4a, H3b, H4b,H7a, H8a, H7b, H8b, 60a, 62a, 60b, 62b)、および取り付け部材をＬＣＤ表示装置に取り外し可能に取り付けるための第２取り付け手段(H1a, H2a, H1b, H2b, H5a, H6a, H5b, H6b, 64a, 66a, 64b, 66b)をさらに備える。
【００１０】
請求項４の発明に従うテレビジョンセットは、請求項３に従属し、第１取り付け手段はスピーカ装置の側面および取り付け部材にそれぞれ設けられる第１ねじ孔(H3a, H4a, H3b, H4b,H7a, H8a, H7b, H8b)とそれに螺合される第１ねじ(60a, 62a, 60b, 62b)とを含み、第２取り付け手段はＬＣＤ表示装置の側面および取り付け部材にそれぞれ設けられる第２ねじ孔(H1a, H2a, H1b, H2b, H5a, H6a, H5b, H6b)とそれに螺合される第２ねじ(64a, 66a, 64b, 66b)とを含む。
【００１１】
請求項５の発明に従うテレビジョンセットは、請求項４に従属し、第１ねじは取り付け部材の第２主面側から螺入され、第２ねじは取り付け部材の第１主面側から螺入される。
【００１２】
請求項６の発明に従うテレビジョンセットは、請求項４または５に従属し、第１ねじ孔は所定距離を隔てた２つのねじ孔(H3a, H4a, H3b, H4b)を有し、所定距離を隔てた２つのねじ孔を有するように第３ねじ孔(H9a, H10a, H9b, H10b)が形成され、ＬＣＤ表示装置から取り外されたスピーカ装置を第３ねじ(68a, 70a, 68b, 70b)によって取り付ける支柱(50a, 50b)をさらに備える。
【発明の効果】
【００１３】
この発明によれば、スピーカ装置は、表示装置の背面に形成された凸状部の側面に取り付けられる。この結果、スピーカ装置の取り付けに起因する寸法の増大が抑制される。
【００１４】
この発明の上述の目的，その他の目的，特徴および利点は、図面を参照して行う以下の実施例の詳細な説明から一層明らかとなろう。
【発明を実施するための最良の形態】
【００１５】
この実施例のテレビジョンセットは、図１（Ａ）および図１（Ｂ）に示す表示装置１０を備える。表示装置１０は、薄型のキャビネット１２をベース１６によって支持する構造を採用する。キャビネット１２の正面には番組映像を出力するＬＣＤスクリーン１４が埋め込まれ、キャビネット１２の背面には凸状部１８が形成される。凸状部１８の水平方向両端（側面）は、キャビネット１２の上方から眺めて略Ｓ字（または逆Ｓ字）を描くような斜面を有する。
【００１６】
さらに、キャビネット１２を後方から眺めて、凹状の金具収納部２０ａおよび２０ｂはそれぞれ、凸状部１８の左端および右端に形成される。具体的には、金具収納部２０ａおよび２０ｂは、凸状部１８の垂直方向中央の上面から斜面にかけて形成される。
【００１７】
金具収納部２０ａの底部のうち凸状部１８の上面部分には、距離Ｌ１を隔てて垂直方向に並ぶ２つの孔Ｈ１ａおよびＨ２ａが設けられる。同様に、金具収納部２０ｂの底部のうち凸状部１８の上面部分には、距離Ｌ１を隔てて垂直方向に並ぶ２つの孔Ｈ１ｂおよびＨ２ｂが設けられる。
【００１８】
図２（Ａ）および図２（Ｂ）を参照して、Ｒ側のスピーカ装置３０ａは、円筒状のケース３２ａを備える。ケース３２ａの曲率は、図１に示す凸状部１８の水平方向両端に形成された斜面の中腹部分の曲率と一致する。また、ケース３２ａの外径は、表示装置１０の前後方向における凸状部１８の厚みを下回る。ケース３２ａの長さ方向一方端には、振動板カバー３６ａが形成される。番組音声は、ケース３２ａの長さ方向一方端から出力される。
【００１９】
ケース３２ａの外周面の一部には、緩衝材３４ａが貼着される。具体的には、ケース３２ａの長さ方向における緩衝材３４ａの寸法はケース３２ａの長さの１／２程度であり、円筒の周方向における緩衝材３４ａの寸法は外周の１／４程度である。
【００２０】
ケース３２ａの外周面にはまた、距離Ｌ２を隔てて長さ方向に並ぶ２つの貫通孔Ｈ３ａおよびＨ４ａが形成される。緩衝材３４ａは、貫通孔Ｈ３ａおよびＨ４ａを回避するように、貫通孔Ｈ３ａおよびＨ４ａの周りに貼着される。なお、Ｌ側のスピーカ装置３０ｂは、Ｒ側のスピーカ装置３０ａと同じ外観を有するため、参照番号に付加された“ａ”を“ｂ”に代えることで重複した説明を省略する。
【００２１】
図３（Ａ）および図３（Ｂ）を参照して、取り付け金具４０ａおよび４０ｂはそれぞれ、金具本体４２ａおよび４２ｂを備える。金具本体４２ａは図１（Ｂ）に示す金具収納部２０ａに嵌合するように湾曲した形状を有し、金具本体４２ｂは図１（Ｂ）に示す金具収納部２０ｂに嵌合するように湾曲した形状を有する。つまり、金具本体４２ａおよび４２ｂのいずれも、長さ方向において略Ｓ字（逆Ｓ字）状に湾曲する。さらに、金具本体４２ａおよび４２ｂの厚みはそれぞれ、金具収納部２０ａおよび２０ｂの深さに相当する。
【００２２】
したがって、取り付け金具４０ａおよび４０ｂを金具収納部２０ａおよび２０ｂにそれぞれ収納されたとき、取り付け金具４０ａおよび４０ｂの表面は、凸状部１８の上面および斜面との間で面一の状態となる。また、取り付け金具４０ａの表面のうち凸状部１８の斜面の中腹との間で面一となる部分の曲率は、図２に示すケース３２ａの外周面の曲率と一致する。同様に、取り付け金具４０ｂの表面のうち凸状部１８の斜面の中腹との間で面一となる部分の曲率は、図２に示すケース３２ｂの外周面の曲率と一致する。
【００２３】
取り付け金具４０ａの表面のうち図１（Ｂ）に示す凸状部１８の上面に嵌合される部分には、距離Ｌ３を隔てて垂直方向に並ぶ２つの貫通孔Ｈ５ａおよびＨ６ａが形成される。取り付け金具４０ｂの表面のうち凸状部１８の上面に嵌合される部分には、距離Ｌ３を隔てて垂直方向に並ぶ２つの貫通孔Ｈ５ｂおよびＨ６ｂが形成される。なお、距離Ｌ３は、図１に示す距離Ｌ１と一致する。
【００２４】
取り付け金具４０ａおよび４０ｂがそれぞれ金具収納部２０ａおよび２０ｂに収納されたとき、貫通孔Ｈ５ａおよびＨ６ａはそれぞれ貫通孔Ｈ１ａおよびＨ２ａと連通し、貫通孔Ｈ５ｂおよびＨ６ｂはそれぞれ貫通孔Ｈ１ｂおよびＨ２ｂと連通する。
【００２５】
取り付け金具４０ａの表面のうち凸状部１８の斜面の裾に嵌合する部分には、距離Ｌ４を隔てて垂直方向に並ぶ２つの貫通孔Ｈ７ａおよびＨ８ａが形成される。同様に、取り付け金具４０ｂの表面のうち凸状部１８の斜面の裾に嵌合する部分には、距離Ｌ４を隔てて垂直方向に並ぶ２つの貫通孔Ｈ７ｂおよびＨ８ｂが形成される。なお、距離Ｌ４は、図２に示す距離Ｌ２と一致する。
【００２６】
金具本体４２ａの裏面には緩衝材４４ａが貼着され、金具本体４２ｂの裏面には緩衝材４４ｂが貼着される。ただし、緩衝材４４ａは、貫通孔Ｈ５ａ，Ｈ６ａ，Ｈ７ａおよびＨ８ａを回避するように金具本体４２ａの裏面に貼着される。同様に、緩衝材４４ｂは、貫通孔Ｈ５ｂ，Ｈ６ｂ，Ｈ７ｂおよびＨ８ｂを回避するように金具本体４２ｂの裏面に貼着される。
【００２７】
図４（Ａ）および図４（Ｂ）を参照して、支柱５０ａは、円板状のベース５４ａを備える。支柱胴部５２ａは、ベース５４ａの外周に沿って半円状に屈曲し、かつベース５４ａから高さ方向に延びる。支柱胴部５２ａの内周面の曲率は、図２（Ａ）および図２（Ｂ）に示すケース３２ａの外周面の曲率と一致する。支柱胴部５２ａの中央やや上方には、距離Ｌ５を隔てて高さ方向に並ぶ２つの貫通孔Ｈ９ａおよびＨ９ｂが形成される。距離Ｌ５は、図２に示す距離Ｌ２および図３に示す距離Ｌ４の各々と一致する。なお、支柱５０ｂは、支柱５０ａと同じ外観を有するため、参照番号に付加された“ａ”を“ｂ”に代えることで重複した説明を省略する。
【００２８】
図２に示すスピーカ装置３０ａおよび３０ｂは、図３に示す取り付け金具４０ａおよび４０ｂを用いて、以下に述べる要領で表示装置１０の背面に取り付けられる。
【００２９】
まず取り付け金具４０ａおよび４０ｂが図５に示す要領でスピーカ装置３０ａおよび３０ｂに取り付けられる。具体的には、取り付け金具４０ａの貫通孔Ｈ７ａおよびＨ８ａがスピーカ装置３０ａの貫通孔Ｈ３ａおよびＨ４ａと連通するように、スピーカ装置３０ａが取り付け金具４０ａの表面に取り付けられる。同様に、取り付け金具の貫通孔Ｈ７ｂおよびＨ８ｂがスピーカ装置３０ｂの貫通孔Ｈ３ｂおよびＨ４ｂと連通するように、スピーカ装置３０ｂが取り付け金具４０ｂの表面に取り付けられる。ねじ６０ａは、取り付け金具４０ａの裏面側から貫通孔Ｈ７ａおよびＨ３ａに螺入され、ねじ６２ａは、取り付け金具４０ａの裏面側から貫通孔Ｈ８ａおよびＨ４ａに螺入される。また、ねじ６０ｂは、取り付け金具４０ｂの裏面側から貫通孔Ｈ７ｂおよびＨ３ｂに螺入され、ねじ６２ｂは、取り付け金具４０ｂの裏面側から貫通孔Ｈ８ｂおよびＨ４ｂに螺入される。
【００３０】
こうして、ねじ６０ａが貫通孔Ｈ７ａおよびＨ３ａと螺合され、ねじ６２ａが貫通孔Ｈ８ａおよびＨ４ａと螺合され、ねじ６０ｂが貫通孔Ｈ７ｂおよびＨ３ｂと螺合され、そしてねじ６２ｂが貫通孔Ｈ８ｂおよびＨ４ｂと螺合される。
【００３１】
スピーカ装置３０ａおよび３０ｂがそれぞれ固定された取り付け金具４０ａおよび４０ｂは、図６に示す要領で凸状部１８の金具収納部２０ａおよび２０ｂに収納される。ねじ６４ａは、取り付け金具４０ａの表面側から貫通孔Ｈ５ａおよびＨ１ａに螺入され、ねじ６６ａは、取り付け金具４０ａの表面側から貫通孔Ｈ６ａおよびＨ２ａに螺入される。同様に、ねじ６４ｂは、取り付け金具４０ｂの表面側から貫通孔Ｈ５ｂおよびＨ１ｂに螺入され、ねじ６６ｂは、取り付け金具４０ｂの表面側から貫通孔Ｈ６ｂおよびＨ２ｂに螺入される。
【００３２】
ねじ６４ａは貫通孔Ｈ５ａおよびＨ１ａと螺合され、ねじ６６ａは貫通孔Ｈ６ａおよびＨ２ａと螺合される。また、ねじ６４ｂは貫通孔Ｈ５ｂおよびＨ１ｂと螺合され、ねじ６６ｂは貫通孔Ｈ６ｂおよびＨ２ｂと螺合される。こうして、取り付け金具３０ａおよび３０ｂが裏面側で表示装置１０の凸状部１８に取り付けられる。
【００３３】
表示装置１０から取り外されたスピーカ装置３０ａおよび３０ｂは、図７に示す要領で支柱５０ａおよび５０ｂに取り付けられる。つまり、支柱５０ａの貫通孔Ｈ９ａおよびＨ１０ａがスピーカ装置３０ａの貫通孔Ｈ３ａおよびＨ４ａと連通するように、スピーカ装置３０ａが支柱胴部５２ａの内周面に取り付けられる。同様に、支柱５０ｂの貫通孔Ｈ９ｂおよびＨ１０ｂがスピーカ装置３０ｂの貫通孔Ｈ３ｂおよびＨ４ｂと連通するように、スピーカ装置３０ｂが支柱胴部５２ｂの内周面に取り付けられる。
【００３４】
ねじ６８ａは、支柱胴部５２ａの外周面側から貫通孔Ｈ９ａおよびＨ３ａに螺入され、ねじ７０ａは、支柱胴部５２ａの外周面側から貫通孔Ｈ１０ａおよびＨ４ａに螺入される。ねじ６８ｂは、支柱胴部５２ｂの外周面側から貫通孔Ｈ９ｂおよびＨ３ｂに螺入され、ねじ７０ｂは、支柱胴部５２ｂの外周面側から貫通孔Ｈ１０ｂおよびＨ４ｂに螺入される。
【００３５】
ねじ６８ａは貫通孔Ｈ９ａおよびＨ３ａと螺合し、ねじ７０ａは貫通孔Ｈ１０ａおよびＨ４ａと螺合する。また、ねじ６８ｂは貫通孔Ｈ９ｂおよびＨ３ｂと螺合し、ねじ７０ｂは貫通孔Ｈ１０ｂおよびＨ４ｂと螺合する。スピーカ装置３０ａおよび３０ｂは、こうして支柱５０ａおよび５０ｂにそれぞれ取り付けられる。
【００３６】
以上の説明から分かるように、番組映像は、表示装置１０から出力される。番組音声は、筒状のスピーカ装置３０ａおよび３０ｂから出力される。スピーカ装置３０ａおよび３０ｂはそれぞれ、取り付け金具４０ａおよび４０ｂによって表示装置１０に取り付けられる。ここで、表示装置１０は、凸状部１８が形成された背面を有する。また、取り付け金具４０ａおよび４０ｂはそれぞれ、表面側にスピーカ装置３０ａを取り付ける。取り付け金具４０ａおよび４０ｂはまた、裏面側で表示装置１０に取り付けられる。この結果、スピーカ装置３０ａおよび３０ｂが、表示装置１０の背面に形成された凸状部１８の側面に取り付けられる。この結果、スピーカ装置１８の取り付けに起因する寸法の増大が抑制される。
【図面の簡単な説明】
【００３７】
【図１】（Ａ）は表示装置を正面側から示す斜視図であり、（Ｂ）は表示装置を背面側から示す斜視図である。
【図２】（Ａ）はスピーカ装置を正面側から示す斜視図であり、（Ｂ）はスピーカ装置を背面側から示す斜視図である。
【図３】（Ａ）取り付け金具を表面側から示す斜視図であり、（Ｂ）は取り付け金具を裏面側から示す斜視図である。
【図４】（Ａ）は支柱を背面側から示す斜視図であり、（Ｂ）は支柱を正面側から示す斜視図である。
【図５】取り付け金具をスピーカ装置に取り付けた状態を示す斜視図である。
【図６】スピーカ装置を表示装置に取り付けた状態を示す斜視図である。
【図７】スピーカ装置を支柱に取り付けた状態を示す斜視図である。
【符号の説明】
【００３８】
１０  …表示装置
１２  …キャビネット
１４  …ＬＣＤスクリーン
１６  …ベース
１８  …凸状部
２０ａ，２０ｂ  …金具収納部
３０ａ，３０ｂ  …スピーカ装置
３２ａ，３２ｂ  …ケース
３４ａ，３４ｂ，４４ａ，４４ｂ  …緩衝材
３６ａ，３６ｂ  …振動板カバー
４０ａ，４０ｂ  …取り付け金具
４２ａ，４２ｂ  …金具本体
５０ａ，５０ｂ  …支柱
５２ａ，５２ｂ  …支柱胴部
５４ａ，５４ｂ  …ベース
【図１】
0004619304.tif 000002
【図２】
0004619304.tif 000003
【図３】
0004619304.tif 000004
【図４】
0004619304.tif 000005
【図５】
0004619304.tif 000006
【図６】
0004619304.tif 000007
【図７】
0004619304.tif 000008